【手続補正書】
【提出日】平成21年4月7日(2009.4.7)
【手続補正１】
【補正対象書類名】特許請求の範囲
【補正対象項目名】全文
【補正方法】変更
【補正の内容】
【特許請求の範囲】
【請求項１】
その中に形成された少なくとも第１および第２の光ファイバーブラッグ回析格子(FBG)を有する光ファイバーを供し；
光ファイバーを、第１FBGでの回折格子周期が圧縮しおよび第２FBGでの回折格子周期が拡大するような歪み誘導力に付し；次いで、
第１および第２FBGに光学的に問合わせて、各々、第１および第２FBGのピーク反射波長を決定し；
ここに、第１および第２のFBGは、静止状態で、第１および第２のFBGのピーク反射波長の初期分離を供するための異なる回折格子周期を有し；
それにより、第１および第２FBGのピーク反射波長間の分離が誘導された歪みの代表となる工程を含む、歪み検知方法。
【請求項２】
光ファイバーが、第１および第２のFBGに関して垂直力を誘導する歪に付される請求項１記載の方法。
【請求項３】
光ファイバーが、第１および第２FBGがパッケージ構造の歪み中立層の対向層に配置されるようにパッケージ構造に埋め込まれる、請求項１または２記載の方法。
【請求項４】
パッケージ構造が実質上弧型であり、歪み誘導力は実質的に弧型パッケージ構造の頂点において十分に加えられる、請求項１ないし３のいずれか１記載の方法。
【請求項５】
実質的に弧型パッケージ構造が曲げビームを含む請求項４記載の方法。
【請求項６】
その中に形成され、かつ光ファイバーの長さに沿って間隔が設けられた複数の第１および第２FBG対を有する光ファイバー供し；
光ファイバーを、第１および第２FBGの各対に対し、第１FBGでの回折格子周期が圧縮しおよび第２FBGでの回折格子周期が拡大するように複数の歪み誘導力に付し；次いで、
各々、第１および第２FBGの各対に光学的に問い合わせて、第１および第２FBGのピーク反射波長を各々決定し、；
それにより、第１および第２FBGの各々の対に対し、第１および第２FBGのピーク反射波長各々の間の分離が誘導される各歪みの代表となることを含む、前記の請求項のいずれか１記載の方法。
【請求項７】
光ファイバー;
光ファイバー中に形成された少なくとも第１の光ファイバーブラッグ回析格子(FBG)および第２FBG；
光ファイバーが歪み誘導力に付された場合、第１FBGでの回折格子周期が圧縮しおよび第２FBGでの回折格子周期が拡大するように光ファイバーを埋め込んだパッケージ構造；および
第１および第２FBGに光学的に問い合わせをして、各々、第１および第２FBGのピーク反射波長を決定するための問合せシステム；
を含み；
ここに、第１および第２のFBGは、静止状態で、第１および第２のFBGのピーク反射波長の初期分離を供するための異なる回折格子周期を有し；
それによって、第１および第２FBGのピーク反射波長間の分離が誘導された歪みの代表となることを特徴とする、光ファイバー歪みセンサー。
【請求項８】
光ファイバーが、第１および第２のFBGに関して垂直力を誘導する歪に付される請求項７記載のセンサー。
【請求項９】
光ファイバーが、第１および第２FBGがパッケージ構造の歪み中立層の対向層に配置されるように、パッケージ構造に埋め込まれる、請求項７または８記載のセンサー。
【請求項１０】
パッケージ構造が実質上弧型を有し、歪み誘導力が弧型パッケージ構造の頂点において十分に加えられる、請求項７ないし９のいずれか１記載のセンサー。
【請求項１１】
実質的に弧型パッケージ構造が曲げビームを含む請求項１０記載のセンサー。
【請求項１２】
パッケージ構造が複合ラミネートパッケージを含む、請求項７ないし１１のいずれか１記載のセンサー。
【請求項１３】
複合ラミネート構造が、ファイバー強化カーボン複合材料プリプレグを含む、請求項１２記載のセンサー。
【請求項１４】
第１および第２FBGが複合構造内で相互に整列され、複合ラミネート構造はFBGに関して対称的である、請求項１２または１３記載のセンサー。
【請求項１５】
光ファイバーが、その中に形成され、かつ光ファイバーに沿って間隔が設けられた複数の第１および第２FBGの対を有し；パッケージ構造は、光ファイバーが複数の歪み誘導力に付された場合、第１および第２FBG対各々において、第１FBGでの回折格子周期が圧縮しおよび第２FBGでの回折格子周期が拡大するように第１および第２FBG対を埋め込んでおり；および
問合せシステムが、第１および第２FBG各々の対に光学的に問い合わせて、第１および第２FBGのピーク反射波長を決定し；
それにより、第１および第２FBGの各々の対に対し、第１および第２FBGピーク反射波長各々の分離が誘導された各歪みの代表となる、請求項７ないし１４のいずれか１記載のセンサー。
【請求項１６】
光ファイバーを供し；
光ファイバー中に少なくとも第１のファイバーブラッグ回析格子(FBG)および第２FBGを形成し;
ここに、第１および第２のFBGは、静止状態で、第１および第２のFBGのピーク反射波長の初期分離を供するための異なる回折格子周期を含み；
光ファイバーが歪み誘導力に付された場合、第１FBGでの回折格子周期が圧縮しおよび第２FBGでの回折格子周期が拡大するようにパッケージ構造内に光ファイバーを埋め込む工程を含む、光ファイバー歪みセンサーの製造方法。
【請求項１７】
第１および第２FBGに光学的に問い合わせをして、第１および第２FBGのピーク反射波長を決定するために、光ファイバーに問合わせシステムを結合させることをさらに含み；
それによって、第１および第２FBGのピーク反射波長間の分離が誘導された歪みの代表となる、請求項１６記載の方法。
【請求項１８】
光ファイバーが、第１および第２のFBGに関して垂直力を誘導する歪に付される請求項１６または１７記載の方法。
【請求項１９】
第１および第２FBGがパッケージ構造の歪み中立層の対向層に配置されるようにパッケージ構造中に光ファイバーが埋め込まれる、請求項１６ないし１８のいずれか１記載の方法。
【請求項２０】
パッケージ構造が実質上弧型を有し、歪み誘導力が弧型パッケージ構造の頂点において十分に加えられる、請求項１６ないし１９のいずれか１記載の方法。
【請求項２１】
実質的に弧型パッケージ構造が曲げビームを含む請求項２０記載の方法。
【請求項２２】
パッケージ構造が複合ラミネート構造を含む、請求項１６ないし２１のいずれか１記載の方法。
【請求項２３】
複合ラミネートパッケージ構造がファイバー強化カーボン複合材料プリプレグを含む、請求項２２に記載の方法。
【請求項２４】
第１および第２FBGが複合構造内に互いに整列され、複合ラミネート構造がFBGに関して対称的である、請求項２２または２３に記載の方法。
【請求項２５】
光ファイバー中に、かつ光ファイバーの長さに沿って間隔を設けて、複数の第１および第２FBG対を形成し；次いで、光ファイバーが歪み誘導力に付された場合、第１および第２FBG対各々について、第１FBGでの回折格子周期が圧縮しおよび第２FBGでの回折格子周期が拡大するようにパッケージ構造内に第１および第２FBG対を埋め込むことを含む、請求項１６ないし２４いずれか１記載の方法。
【請求項２６】
問合わせシステムが、第１および第２FBG対各々に光学的に問合わせをして、第１および第２FBGのピーク反射波長を各々決定し；
それによって、第１および第２FBG対各々における第１および第２FBGピーク反射波長各々の間の分離が、誘導された各歪みの代表となる、請求項２５記載の方法。